【手続補正書】
【提出日】平成30年9月12日(2018.9.12)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ソースセルから、基準信号（ＲＳ）密度スキームに従って送信された基準信号を受信すること、前記ＲＳ密度スキームは、ＲＳ密度スキームのセットから選択される、と、
前記基準信号に関連付けられたチャネルのタイプまたは前記基準信号に関連付けられた前記チャネルのためのカバレージ拡張に少なくとも部分的に基づいて、前記ＲＳ密度スキームを識別することと、
前記ＲＳ密度スキームに従って、前記基準信号を使って通信することと
を備える、方法。
【請求項２】
ＲＳ密度スキームのインジケーションを受信することをさらに備え、前記ＲＳ密度スキームは、前記インジケーションに少なくとも部分的に基づいて識別され、前記インジケーションは、専用のシグナリングまたはブロードキャスト情報中で受信される、
請求項１に記載の方法。
【請求項３】
前記基準信号を受信することは、
セル固有基準信号（ＣＲＳ）または復調基準信号（ＤＭ−ＲＳ）のうちの少なくとも１つまたはそれらの組合せを受信することを備える、
請求項１に記載の方法。
【請求項４】
前記ＲＳ密度スキームに従って、およびモバイルデバイスカテゴリまたはモバイルデバイス能力のうちの１つに少なくとも部分的に基づいて、基準信号のセットを受信することをさらに備える、
請求項１に記載の方法。
【請求項５】
前記モバイルデバイスカテゴリまたは前記モバイルデバイス能力は、マシンタイプ通信（ＭＴＣ）デバイス、狭帯域ＭＴＣデバイス、狭帯域において動作するユーザ機器（ＵＥ）、または複数のＲＳ密度スキームをサポートするＵＥのうちの少なくとも１つを備える、
請求項４に記載の方法。
【請求項６】
前記ＲＳ密度スキームは、前記チャネルに関連付けられた１つまたは複数のパラメータに基づいてさらに決定される、
請求項１に記載の方法。
【請求項７】
前記基準信号に関連付けられた前記チャネルの前記タイプは、ブロードキャストチャネルまたはユニキャストチャネルのうちの少なくとも１つを備える、
請求項１に記載の方法。
【請求項８】
前記基準信号に関連付けられた前記チャネルの前記タイプは、制御チャネルまたはデータチャネルのうちの少なくとも１つを備える、
請求項１に記載の方法。
【請求項９】
前記チャネルの前記カバレージ拡張は、前記チャネルの反復を備え、前記ＲＳ密度スキームは、前記チャネルの反復の数に少なくとも部分的に基づいて識別される、
請求項１に記載の方法。
【請求項１０】
前記ＲＳ密度スキームは、第１の反復数について識別され、別のＲＳ密度スキームは、前記第１の反復数よりも大きい第２の反復数について識別され、前記別のＲＳ密度スキームは、前記ＲＳ密度スキームよりも高いＲＳ密度を有する、
請求項９に記載の方法。
【請求項１１】
前記基準信号を使って通信することは、
前記基準信号を使って、チャネル推定または干渉推定のうちの少なくとも１つを実施することと、
前記チャネル推定または前記干渉推定のうちの前記少なくとも１つに基づいて前記チャネルを復号することと
を備える、請求項１に記載の方法。
【請求項１２】
ワイヤレス通信のためのモバイルデバイスであって、
ソースセルから、基準信号（ＲＳ）密度スキームに従って送信された基準信号を受信するための手段、前記ＲＳ密度スキームは、ＲＳ密度スキームのセットから選択される、と、
前記基準信号に関連付けられたチャネルのタイプまたは前記基準信号に関連付けられた前記チャネルのためのカバレージ拡張に少なくとも部分的に基づいて、前記ＲＳ密度スキームを識別するための手段と、
前記ＲＳ密度スキームに従って、前記基準信号を使って通信するための手段と
を備える、モバイルデバイス。
【請求項１３】
実行されると、コンピュータに、請求項１乃至１１のいずれか１項に記載の方法を実行させる、コンピュータ実行可能コードを記憶するコンピュータ可読媒体。
【手続補正２】
【補正対象書類名】明細書
【補正対象項目名】０１４９
【補正方法】変更
【補正の内容】
【０１４９】
[0163]本開示の前述の説明は、当業者が本開示を作成または使用することができるように与えたものである。本開示への様々な修正は当業者には容易に明らかとなり、本明細書で定義される一般原理は、本開示の範囲から逸脱することなく他の変形形態に適用され得る。したがって、本開示は、本明細書で説明した例および設計に限定されるべきでなく、本明細書で開示した原理および新規の特徴に一致する最も広い範囲を与えられるべきである。
以下に、本願出願の当初の特許請求の範囲に記載された発明を付記する。
［Ｃ１］
ワイヤレス通信のための方法であって、
基準信号（ＲＳ）密度スキームに従って送信された基準信号を受信すること、前記ＲＳ密度スキームは、ＲＳ密度スキームのセットから選択される、と、
前記基準信号に関連付けられたチャネルのタイプまたは前記基準信号に関連付けられた前記チャネルのためのカバレージ拡張に少なくとも部分的に基づいて、前記ＲＳ密度スキームを識別することと、
前記ＲＳ密度スキームに従って、前記基準信号を使って通信することと
を備える、方法。
［Ｃ２］
ＲＳ密度スキームのインジケーションを受信することをさらに備え、前記ＲＳ密度スキームは、前記インジケーションに少なくとも部分的に基づいて識別され、前記インジケーションは、専用のシグナリングまたはブロードキャスト情報中で受信される、
［Ｃ１］に記載の方法。
［Ｃ３］
前記基準信号を受信することは、
セル固有基準信号（ＣＲＳ）または復調基準信号（ＤＭ−ＲＳ）のうちの少なくとも１つまたはそれらの組合せを受信することを備える、
［Ｃ１］に記載の方法。
［Ｃ４］
前記ＲＳ密度スキームに従って、およびモバイルデバイスカテゴリまたはモバイルデバイス能力のうちの１つに少なくとも部分的に基づいて、基準信号のセットを受信することをさらに備える、
［Ｃ１］に記載の方法。
［Ｃ５］
前記モバイルデバイスカテゴリまたは前記モバイルデバイス能力は、マシンタイプ通信（ＭＴＣ）デバイス、狭帯域ＭＴＣデバイス、狭帯域において動作するユーザ機器（ＵＥ）、または複数のＲＳ密度スキームをサポートするＵＥのうちの少なくとも１つを備える、
［Ｃ４］に記載の方法。
［Ｃ６］
前記ＲＳ密度スキームは、前記チャネルに関連付けられた１つまたは複数のパラメータに基づいてさらに決定される、
［Ｃ１］に記載の方法。
［Ｃ７］
前記基準信号に関連付けられた前記チャネルの前記タイプは、ブロードキャストチャネルまたはユニキャストチャネルのうちの少なくとも１つを備える、
［Ｃ１］に記載の方法。
［Ｃ８］
前記基準信号に関連付けられた前記チャネルの前記タイプは、制御チャネルまたはデータチャネルのうちの少なくとも１つを備える、
［Ｃ１］に記載の方法。
［Ｃ９］
前記チャネルの前記カバレージ拡張は、前記チャネルの反復を備え、前記ＲＳ密度スキームは、前記チャネルの反復の数に少なくとも部分的に基づいて識別される、
［Ｃ１］に記載の方法。
［Ｃ１０］
前記ＲＳ密度スキームは、第１の反復数について識別され、別のＲＳ密度スキームは、前記第１の反復数よりも大きい第２の反復数について識別され、前記別のＲＳ密度スキームは、前記ＲＳ密度スキームよりも高いＲＳ密度を有する、
［Ｃ９］に記載の方法。
［Ｃ１１］
前記基準信号を使って通信することは、
前記基準信号を使って、チャネル推定または干渉推定のうちの少なくとも１つを実施することと、
前記チャネル推定または前記干渉推定のうちの前記少なくとも１つに基づいて前記チャネルを復号することと
を備える、［Ｃ１］に記載の方法。
［Ｃ１２］
ワイヤレス通信のための装置であって、
基準信号（ＲＳ）密度スキームに従って送信された基準信号を受信するための手段、前記ＲＳ密度スキームは、ＲＳ密度スキームのセットから選択される、と、
前記基準信号に関連付けられたチャネルのタイプまたは前記基準信号に関連付けられた前記チャネルのためのカバレージ拡張に少なくとも部分的に基づいて、前記ＲＳ密度スキームを識別するための手段と、
前記ＲＳ密度スキームに従って、前記基準信号を使って通信するための手段と
を備える、装置。
［Ｃ１３］
ＲＳ密度スキームのインジケーションを受信するための手段をさらに備え、前記ＲＳ密度スキームは、前記インジケーションに少なくとも部分的に基づいて識別され、前記インジケーションは、専用のシグナリングまたはブロードキャスト情報中で受信される、
［Ｃ１２］に記載の装置。
［Ｃ１４］
前記基準信号を受信するための前記手段は、
セル固有基準信号（ＣＲＳ）または復調基準信号（ＤＭ−ＲＳ）のうちの少なくとも１つまたはそれらの組合せを受信するための手段を備える、
［Ｃ１２］に記載の装置。
［Ｃ１５］
前記ＲＳ密度スキームに従って、およびモバイルデバイスカテゴリまたはモバイルデバイス能力のうちの１つに少なくとも部分的に基づいて、基準信号のセットを受信するための手段をさらに備える、
［Ｃ１２］に記載の装置。
［Ｃ１６］
前記モバイルデバイスカテゴリまたは前記モバイルデバイス能力は、マシンタイプ通信（ＭＴＣ）デバイス、狭帯域ＭＴＣデバイス、狭帯域において動作するユーザ機器（ＵＥ）、または複数のＲＳ密度スキームをサポートするＵＥのうちの少なくとも１つを備える、
［Ｃ１５］に記載の装置。
［Ｃ１７］
前記ＲＳ密度スキームを識別するための前記手段は、前記チャネルに関連付けられた１つまたは複数のパラメータに少なくとも部分的に基づいて動作可能である、
［Ｃ１２］に記載の装置。
［Ｃ１８］
前記基準信号に関連付けられた前記チャネルの前記タイプは、ブロードキャストチャネルまたはユニキャストチャネルのうちの少なくとも１つを備える、
［Ｃ１２］に記載の装置。
［Ｃ１９］
前記基準信号に関連付けられた前記チャネルの前記タイプは、制御チャネルまたはデータチャネルのうちの少なくとも１つを備える、
［Ｃ１２］に記載の装置。
［Ｃ２０］
前記チャネルの前記カバレージ拡張は前記チャネルの反復を備え、前記ＲＳ密度スキームは、前記チャネルの反復の数に少なくとも部分的に基づいて識別される、
［Ｃ１２］に記載の装置。
［Ｃ２１］
前記ＲＳ密度スキームを識別するための前記手段は、第１の反復数について前記ＲＳ密度スキームを識別するように動作可能であり、前記第１の反復数よりも大きい第２の反復数について別のＲＳ密度スキームを識別し、前記別のＲＳ密度スキームは、前記ＲＳ密度スキームよりも高いＲＳ密度を有する、
［Ｃ２０］に記載の装置。
［Ｃ２２］
前記基準信号を使って前記通信するための手段は、
前記基準信号を使ってチャネル推定を実施するための手段と、
前記チャネル推定のインジケーションをサービング基地局に送信するための手段と
を備える、［Ｃ１２］に記載の装置。
［Ｃ２３］
ワイヤレス通信のための装置であって、
プロセッサと、
前記プロセッサと電子通信しているメモリと、
前記メモリに記憶された命令と
を備え、前記命令は、前記プロセッサによって、前記装置に、
基準信号（ＲＳ）密度スキームに従って送信された基準信号を受信すること、前記ＲＳ密度スキームは、ＲＳ密度スキームのセットから選択される、と、
前記基準信号に関連付けられたチャネルのタイプまたは前記基準信号に関連付けられた前記チャネルのためのカバレージ拡張に少なくとも部分的に基づいて、前記ＲＳ密度スキームを識別することと、
前記ＲＳ密度スキームに従って、前記基準信号を使って通信することと
を行わせるように実行可能である、装置。
［Ｃ２４］
前記命令は、前記プロセッサによって、前記装置に、
ＲＳ密度スキームのインジケーションを受信させるように実行可能であり、前記ＲＳ密度スキームは、前記インジケーションに少なくとも部分的に基づいて識別され、前記インジケーションは、専用のシグナリングまたはブロードキャスト情報中で受信される、
［Ｃ２３］に記載の装置。
［Ｃ２５］
前記命令は、前記プロセッサによって、前記装置に、
セル固有基準信号（ＣＲＳ）または復調基準信号（ＤＭ−ＲＳ）のうちの少なくとも１つまたはそれらの組合せを受信させるように実行可能である、
［Ｃ２３］に記載の装置。
［Ｃ２６］
前記命令は、前記プロセッサによって、前記装置に、
前記ＲＳ密度スキームに従って、およびモバイルデバイスカテゴリまたはモバイルデバイス能力に少なくとも部分的に基づいて、基準信号のセットを受信させるように実行可能である、
［Ｃ２３］に記載の装置。
［Ｃ２７］
前記基準信号に関連付けられた前記チャネルの前記タイプは、ブロードキャストチャネルまたはユニキャストチャネルのうちの少なくとも１つを備える、
［Ｃ２３］に記載の装置。
［Ｃ２８］
前記基準信号に関連付けられた前記チャネルの前記タイプは、制御チャネルまたはデータチャネルのうちの少なくとも１つを備える、［Ｃ２３］に記載の装置。
［Ｃ２９］
前記命令は、前記プロセッサによって、前記装置に、
前記基準信号を使って、チャネル推定または干渉推定のうちの少なくとも１つを実施させ、
前記チャネル推定または前記干渉推定のうちの少なくとも１つに基づいて前記チャネルを復号させるように実行可能である、
［Ｃ２３］に記載の装置。
［Ｃ３０］
ワイヤレス通信のためのコンピュータ実行可能コードを記憶する非一時的コンピュータ可読媒体であって、前記コードは、
基準信号（ＲＳ）密度スキームに従って送信された基準信号を受信すること、前記ＲＳ密度スキームは、ＲＳ密度スキームのセットから選択される、と、
チャネルのタイプまたは前記チャネルのためのカバレージ拡張に少なくとも部分的に基づいて、前記ＲＳ密度スキームを識別し、
前記ＲＳ密度スキームに従って、前記基準信号を使って通信することと
を行うように実行可能である、非一時的コンピュータ可読媒体。